(57)【要約】【課題】手を濡らすことなく、傘の生地部がきれいに巻かれた状態で留めることができる傘用留め具を提供する。【解決手段】傘用留め具１０は、三つの歯部１６，１６，１６を有する一対の本体部１１ａ，１１ｂと、各本体部１１ａ，１１ｂを回動可能に連結する連結部と、連結部に設けられた、一対の本体部１１ａ，１１ｂが閉状態になるように付勢する付勢手段と、付勢手段の付勢力に抗する力を加えて一対の本体部１１ａ，１１ｂを閉状態から開状態に移行させるための一対の把持部４１ａ，４１ｂとを備える。傘用留め具１０を傘の石突付近の生地部に取り付けた後、傘をその中心軸の回りに回転させながら、傘と傘用留め具１０とのうち少なくともいずれか一方を傘の中心軸の方向に沿って移動させることにより、傘用留め具１０を傘の露先付近の生地部に装着して、傘を束ねて留める。【選択図】図１
2011234814.tif 000002
【特許請求の範囲】
【請求項１】
傘を束ねて留めるための傘用留め具であって、
基部とその一の側端に連なる複数の歯部とを有し、少なくとも前記歯部の延びる方向において湾曲するように形成された一対の本体部と、
前記各本体部において前記複数の歯部が連なる側と反対側にある前記基部の側部に設けられた、前記一対の本体部が、前記各本体部の前記湾曲した部分の凹面を互いに対向させた状態であって前記各本体部の前記複数の歯部が咬合する状態である閉状態となることができるように、且つ、前記閉状態から前記各本体部の前記複数の歯部が互いに離れるような状態である開状態となることができるように、前記一対の本体部を回動可能に連結する連結部と、
前記連結部に設けられた、常時は前記一対の本体部が前記閉状態になるように付勢する付勢手段と、
前記各本体部において前記複数の歯部が連なる側と反対の側における前記基部の側端に連なるように設けられた、前記付勢手段の付勢力に抗する力を加えて前記一対の本体部を前記閉状態から前記開状態に移行させるための一対の把持部と、
を具備し、前記一対の本体部を前記傘の露先付近の生地部に挟着することにより前記傘を束ねて留めることを特徴とする傘用留め具。
【請求項２】
前記各本体部の前記基部に少なくとも一つの開口部を設けたことを特徴とする請求項１記載の傘用留め具。
【請求項３】
請求項１又は２記載の傘用留め具を用いて、前記一対の本体部によって囲まれる空間の中心軸と閉じた傘の中心軸とが一致するように前記傘用留め具を前記傘の石突付近の生地部に取り付けた後、前記傘をその中心軸の回りに回転させながら、前記傘と前記傘用留め具とのうち少なくともいずれか一方を前記傘の中心軸の方向に沿って移動させることにより、前記傘用留め具を前記傘の露先付近の生地部に装着して、前記傘を束ねて留めることを特徴とする傘留め方法。
【発明の詳細な説明】
【技術分野】
【０００１】
本発明は、傘を束ねて留めるための傘用留め具に関するものである。
【背景技術】
【０００２】
通常、傘を使用しない場合、使用者は、傘の生地部を手で巻き、ネーム布でその巻いた生地部を固定することにより、傘を留めている。かかる傘を留める作業を行う際には、使用者は手で生地部に触れなければならないので、生地部に付着した水が手に付いてしまう。このため、最近では、手を濡らすことなく傘を束ねるための道具として傘用束ねリングが案出されている（例えば、特許文献１参照。）。使用者は、かかる傘用束ねリングを傘の石突の側よりはめ込み、その傘用束ねリングを傘の上方まで持ち上げることにより、濡れた生地部に触れることなく傘を束ねることできる。
【先行技術文献】
【特許文献】
【０００３】
【特許文献１】特開平９−３７８２６号公報
【発明の概要】
【発明が解決しようとする課題】
【０００４】
このような傘用束ねリングを用いると、使用者は手で傘の生地部に直接触れる必要はなくなるが、傘用束ねリングを手で持って、傘の生地部の近傍で傘用束ねリングを装着する作業を行うので、生地部に付着した水が手に付いてしまうのを完全に防ぐことは困難である。また、傘用束ねリングを単に傘にはめ込むことにより傘を束ねているので、生地部をきれいに巻いた状態にすることができず、見栄えの点で問題がある。更に、傘用束ねリングの径は一定であるので、傘のサイズによってはその傘用束ねリングを適用することができないことがある。例えばサイズの大きな傘に対して傘用束ねリングを用いた場合には、傘用束ねリングが傘の中央部でひっかかってしまい、傘用束ねリングを傘の上方まで持ち上げることができないことがある。
【０００５】
本発明は上記事情に基づいてなされたものであり、手を濡らすことなく、傘の生地部がきれいに巻かれた状態で傘を留めることができる傘用留め具を提供することを目的とするものである。
【課題を解決するための手段】
【０００６】
上記の目的を達成するための本発明は、傘を束ねて留めるための傘用留め具であって、基部とその一の側端に連なる複数の歯部とを有し、少なくとも歯部の延びる方向において湾曲するように形成された一対の本体部と、各本体部において複数の歯部が連なる側と反対側にある基部の側部に設けられた、一対の本体部が、各本体部の湾曲した部分の凹面を互いに対向させた状態であって各本体部の複数の歯部が咬合する状態である閉状態となることができるように、且つ、閉状態から各本体部の複数の歯部が互いに離れるような状態である開状態となることができるように、一対の本体部を回動可能に連結する連結部と、連結部に設けられた、常時は一対の本体部が閉状態になるように付勢する付勢手段と、各本体部において複数の歯部が連なる側と反対の側における基部の側端に連なるように設けられた、付勢手段の付勢力に抗する力を加えて一対の本体部を閉状態から開状態に移行させるための一対の把持部と、を具備し、一対の本体部を傘の露先付近の生地部に挟着することにより傘を束ねて留めることを特徴とするものである。
【０００７】
このように、本発明の傘用留め具は、付勢手段の付勢力に抗する力を加えることにより一対の本体部によって囲まれる空間の大きさを調整可能に構成されている。このため、どのようなサイズの傘であっても、一対の本体部によって囲まれる空間の中心軸と閉じた傘の中心軸とが一致するように傘用留め具を傘の石突付近の生地部に取り付けた後、傘をその中心軸の回りに回転させながら、傘と傘用留め具とのうち少なくともいずれか一方を傘の中心軸の方向に沿って移動させることにより、傘用留め具を傘の露先付近の生地部に簡単に装着することができる。また、傘と傘用留め具とのうち少なくともいずれか一方を傘の中心軸の方向に沿って移動させる際に傘を回転させることにより、傘の生地部がきれいに巻かれた状態で傘を留めることができる。しかも、各本体部は複数の歯部を有し、各歯部の延びる方向が一対の本体部によって囲まれる空間の中心軸と直交しているので、傘を回転させながら傘と傘用留め具とのうち少なくともいずれか一方を傘の中心軸の方向に沿って移動させると、各歯部の端縁部によって傘の生地部に付着した水を取り去ることができる。更に、傘用留め具は一対の本体部とは別に一対の把持部を備えることにより、傘を留める作業中に傘に付着した水で手が濡れてしまうこともない。
【０００８】
また、本発明の傘用留め具において、各本体部の基部に少なくとも一つの開口部を設けることが望ましい。これにより、傘を回転させながら傘と傘用留め具とのうち少なくともいずれか一方を傘の中心軸の方向に沿って移動させる際に、各歯部の端縁部によって傘の生地部に付着した水を取り去ることができるだけでなく、開口部の周囲に生じた基部の端縁部によっても傘の生地部に付着した水を取り去ることができるので、傘の水切りをより効果的に行うことができる。
【発明の効果】
【０００９】
本発明に係る傘用留め具を用いることにより、どのようなサイズの傘であっても、手を濡らすことなく、傘の生地部がきれいに巻かれた状態で傘を留めることができる。
【図面の簡単な説明】
【００１０】
【図１】図１は本発明の一実施形態である傘用留め具の概略斜視図である。
【図２】図２はその傘用留め具の概略平面図である。
【図３】図３はその傘用留め具の概略正面図である。
【図４】図４はその傘用留め具の概略背面図である。
【図５】図５は一対の本体部が開状態にあるときの傘用留め具の概略平面図である。
【図６】図６は本実施形態の傘用留め具を傘に装着したときの様子を説明するための図である。
【図７】図７は傘の使用時における傘用留め具の様子を説明するための図である。
【図８】図８は本実施形態の傘用留め具を傘に装着する方法を説明するための図である。
【図９】図９は本発明の変形例である傘用留め具の概略斜視図である。
【発明を実施するための形態】
【００１１】
以下に、図面を参照して、本願に係る発明を実施するための最良の形態について説明する。図１は本発明の一実施形態である傘用留め具の概略斜視図、図２はその傘用留め具の概略平面図、図３はその傘用留め具の概略正面図、図４はその傘用留め具の概略背面図である。
【００１２】
本実施形態の傘用留め具１０は、傘を束ねて留めるためのものである。この傘用留め具１０は、図１乃至図４に示すように、一対の本体部１１ａ，１１ｂと、連結部２１と、付勢手段３１と、一対の把持部４１ａ，４１ｂとを備える。かかる傘用留め具１０の使用対象となる傘は、折り畳み傘ではなく、長傘である。特に、本実施形態では、一般に市販されている通常の大人用の長傘に対して傘用留め具１０を用いる場合について説明する。
【００１３】
一対の本体部１１ａ，１１ｂはそれぞれ、曲げ板状の基部１５と、その基部１５の一の側端に互いに平行に連なる三つの帯状の歯部１６，１６，１６とを有する。各本体部１１ａ，１１ｂは同一の形状のものである。各本体部１１ａ，１１ｂは、少なくとも歯部の延びる方向において湾曲するように形成されている。具体的に、各本体部１１ａ，１１ｂは、図１及び図２に示すように、三つの歯部１６，１６，１６が連なる側と反対側の端部を除く部分が歯部の長手方向（歯部の延びる方向）に沿ってその先端部に行くにしたがって湾曲している。
【００１４】
具体的に、図１、図２及び図３に示すように、基部１５の縦の長さａは約７０ｍｍ、その横幅ｂは約１５ｍｍである。この基部１５の一の長辺に三つの歯部１６，１６，１６が連なっている。各歯部１６の長手方向に沿った長さｃは約３８ｍｍ、その幅ｄは約８ｍｍであり、隣り合う歯部１６，１６の間隔ｅは約１２ｍｍである。また、本体部１１ａについては、図３に示すように、基部１５の上側の短辺から最も上に位置する歯部１６までの距離ｆを約６ｍｍ、基部１５の下側の短辺から最も下に位置する歯部１６までの距離ｇを約１６ｍｍとしている。ここで、基部１５及び歯部１６の厚さは約３ｍｍである。
【００１５】
また、一対の本体部１１ａ，１１ｂは連結部２１により回動可能に構成されている。この連結部２１は、各本体部１１ａ，１１ｂにおいて三つの歯部１６，１６，１６が連なる側と反対側にある基部１５の側部に設けられている。連結部２１は、図１、図２及び図４に示すように、歯部１６，１６，１６が連なる側と反対の側における各基部１５，１５の端部を、基部１５の表面に垂直な方向と歯部１６の長手方向とに直交する方向に沿った軸Ｘの回りに回動可能に連結するものである。この連結部２１は、軸部２５と、軸部２５を取り付けるための一対の軸受部２６ａ，２６ｂとを有する。軸受部２６ａは、一方の本体部１１ａにおいて歯部１６，１６，１６が連なる側と反対の側における基部１５の端部に取り付けられ、軸受部２６ｂは、他方の本体部１１ｂにおいて歯部１６，１６，１６が連なる側と反対の側における基部１５の端部に取り付けられている。そして、軸受部２６ａ，２６ｂを軸部２５で繋ぎ止めることにより、連結部２１が構成される。
【００１６】
一対の本体部１１ａ，１１ｂは、連結部２１の軸Ｘの回りに回転することにより、各本体部１１ａ，１１ｂの上記湾曲した部分の凹面が互いに対向した状態であって且つ各本体部１１ａ，１１ｂの三つの歯部１６，１６，１６が咬合する状態である閉状態になることができる。図１乃至図４には、一対の本体部１１ａ，１１ｂが閉状態にあるときの傘用留め具１０が示されている。
【００１７】
連結部２１の軸部２５には、図４に示すように、付勢手段３１が設けられている。付勢手段３１は、常時は一対の本体部１１ａ，１１ｂが閉状態になるように付勢するためのものである。ここでは、付勢手段３１として、巻きバネを用いている。また、軸受部２６ａ，２６ｂのうち一方の軸受部２６ａには、図２に示すように、係止部２７が形成されている。一対の本体部１１ａ，１１ｂが付勢手段３１により付勢されると、係止部２７が他方の軸受部２６ｂに当接する。この係止部２７により付勢手段３１による付勢が規制され、一対の本体部１１ａ，１１ｂはそれ以上、回動できなくなり、図１乃至図４に示す閉状態を維持することになる。尚、係止部２７は両方の軸受部２６ａ，２６ｂに設けるようにしてもよい。
【００１８】
このように一対の本体部１１ａ，１１ｂが閉状態にあるときには、傘用留め具１０には、図２に示すように、一対の本体部１１ａ，１１ｂによって囲まれた最小の空間Ｓが生じる。この最小の空間Ｓの断面は略楕円形状である。また、最小の空間Ｓの断面の大きさとしては、傘の生地部を巻いて束ねたときの傘の断面の径より小さく、傘の先端に取り付けられる石突のうち最も大きいサイズの石突の径（具体的には、直径約１５ｍｍ）より大きくすることが望ましい。
【００１９】
一対の把持部４１ａ，４１ｂはそれぞれ、本体部１１ａ，１１ｂに設けられている。具体的に、把持部４１ａは、本体部１１ａにおいて、三つの歯部１６，１６，１６が連なる側と反対の側における基部１５の側端中央に連なっている。把持部４１ｂは、本体部１１ｂにおいて、三つの歯部１６，１６，１６が連なる側と反対の側における基部１５の側端中央に連なっている。ここで、図１に示すように、各把持部４１ａ，４１ｂの縦の長さｈは約３０ｍｍ、横幅ｉは約１０ｍｍである。
【００２０】
実際、本実施形態では、本体部１１ａ，軸受部２６ａ，把持部４１ａを一体的に形成すると共に、本体部１１ｂ，軸受部２６ｂ，把持部４１ｂを一体的に形成している。また、これらは樹脂、例えばプラスチックで形成され、その表面が滑らかに仕上げられている。
【００２１】
使用者が一対の把持部４１ａ，４１ｂを手で掴み、付勢手段３１の付勢力に抗する力を加えて一対の把持部４１ａ，４１ｂを押し縮めることにより、一対の本体部１１ａ，１１ｂを連結部２１の軸Ｘの回りに互いに反対向きに回転させ、一対の本体部１１ａ，１１ｂを閉状態から各本体部１１ａ，１１ｂの三つの歯部１６，１６，１６が互いに離れるような状態である開状態に移行させることができる。図５は一対の本体部１１ａ，１１ｂが開状態にあるときの傘用留め具１０の概略平面図である。このように、使用者が付勢手段３１の付勢力に抗する力を加えることにより、一対の本体部１１ａ，１１ｂによって囲まれる空間の大きさを、図２に示す閉状態と図５に示す開状態との間で調整することができる。また、かかる調整の際、一対の本体部１１ａ，１１ｂによって囲まれた空間の断面は、完全な円形状になることはなく、例えば略楕円形状又は卵形状になっている。尚、本実施形態では、連結部２１に係止部２７を設けたことにより、係止部２７を設けない場合に比べて、一対の本体部１１ａ，１１ｂを閉状態から開状態に移行させるときの把持部４１ａ，４１ｂのストローク（移動距離）を小さくすることができる。
【００２２】
図６は本実施形態の傘用留め具１０を傘８０に装着したときの様子を説明するための図である。本実施形態の傘用留め具１０を用いて傘８０を留める場合には、図６に示すように、一対の本体部１１ａ，１１ｂによって囲まれる空間の中心軸と閉じた傘８０の中心軸（中棒８２の軸）とが一致するようにして、一対の本体部１１ａ，１１ｂを傘８０の露先（親骨の先端部分）８６付近の生地部８１に挟着する。ここで、上述したように、一対の本体部１１ａ，１１ｂが閉状態にあるときに一対の本体部１１ａ，１１ｂによって囲まれた最小の空間Ｓのサイズは、傘８０の生地部８１を巻いて束ねたときの傘８０の断面の径より小さい。このため、図６に示すように傘用留め具１０を用いて傘８０を留めたときには、一対の本体部１１ａ，１１ｂは、閉状態から少し開いた状態で傘８０に取り付けられるので、付勢手段３１の付勢力により傘８０をしっかりと挟持することができる。
【００２３】
尚、歯部１６の長手方向の長さについては、傘用留め具１０を用いて傘８０を留めたときに、本体部１１ａに連なる歯部１６の先端と本体部１１ｂに連なる歯部１６の先端とが略同一直線上にあるように（図６参照）、若しくは、本体部１１ａに連なる歯部１６の先端と本体部１１ｂに連なる歯部１６の先端との間に例えば約１０ｍｍ以下の隙間が生じるように、設計することが望ましい。傘用留め具１０を用いて傘８０を留めたときに、本体部１１ａに連なる歯部１６の先端部と本体部１１ｂに連なる歯部１６の先端部とが交差してしまうと、歯部１６の先端部が傘８０の表面から突出した状態になるので、その先端部に他の物を引っかけてしまうことがあり、また、見栄えの点でも問題があるからである。一方、本体部１１ａに連なる歯部１６の先端と本体部１１ｂに連なる歯部１６の先端との間に約１０ｍｍより広い隙間が生じると、一対の本体部１１ａ，１１ｂが傘８０をしっかりと挟持することが困難になるからである。実際、上述したサイズの傘用留め具１０は、一般に市販されている通常の大人用の長傘に対して用いるのに最適である。
【００２４】
次に、本実施形態の傘用留め具１０の使い方について説明する。図７は傘８０の使用時における傘用留め具１０の様子を説明するための図、図８は本実施形態の傘用留め具１０を傘８０に装着する方法を説明するための図である。
【００２５】
最初に、傘８０を使用する際の手順について説明する。まず、使用者は、図６に示すように傘用留め具１０が装着された状態の傘８０から傘用留め具１０を取り外す。具体的には、使用者は、一対の把持部４１ａ，４１ｂを手で掴んで押し縮めることにより、一対の本体部１１ａ，１１ｂを開いた状態にして、傘用留め具１０を傘８０から容易に取り外すことができる。次に、使用者は傘８０を開く。その後、使用者は、図７に示すように、一対の本体部１１ａ，１１ｂで傘８０の受骨８５を挟むようにして、傘用留め具１０を傘８０の内側に取り付ける。これにより、傘８０の使用時に傘用留め具１０が邪魔になることはなく、また、傘用留め具１０が雨に濡れてしまうこともない。
【００２６】
次に、傘８０を使用した後の手順について説明する。まず、使用者は、図７に示す状態の傘８０からその内側に取り付けられている傘用留め具１０を取り外す。その後、使用者は傘８０を閉じる。次に、使用者は、一対の把持部４１ａ，４１ｂを手で掴み、一対の本体部１１ａ，１１ｂによって囲まれる空間の中心軸と傘８０の中心軸とが一致するように、一対の本体部１１ａ，１１ｂで傘８０の石突８４付近の生地部８１を挟み込む。これにより、図８に示すように、傘用留め具１０が傘８０の石突８４付近の生地部８１に取り付けられる。あるいは、使用者は、一対の本体部１１ａ，１１ｂによって囲まれた空間内に、閉じた傘８０の石突８４を挿入した後、傘用留め具１０を傘８０の中心軸の方向に沿って移動させることにより、図８に示すように、傘用留め具１０を傘８０の石突８４付近の生地部８１に取り付けるようにしてもよい。
【００２７】
この時点では、使用者は、一方の手で一対の把持部４１ａ，４１ｂを掴み、他方の手で傘８０の手元（ハンドル）８３を掴んでいる。次に、使用者は、当該他方の手で傘８０の手元８３を回して傘８０をその中心軸の回りに回転させながら、傘８０と傘用留め具１０とのうち少なくともいずれか一方を傘８０の中心軸の方向に沿って移動させることにより、図６に示すように、傘用留め具１０を傘８０の露先８６付近の生地部８１に装着する。具体的に、使用者は、傘８０を回転させながら、傘８０を傘用留め具１０の方へ押し出すことにより又は傘用留め具１０を傘８０の手元８３の方へ引き上げることにより、傘用留め具１０を傘８０の露先８６付近の生地部８１に装着することができる。また、使用者は、傘８０を回転させながら、傘８０を傘用留め具１０の方へ押し出すと共に傘用留め具１０を傘８０の手元８３の方へ引き上げることにより、傘用留め具１０を傘８０の露先８６付近の生地部８１に装着するようにしてもよい。
【００２８】
本実施形態では、各本体部１１ａ，１１ｂをプラスチックで形成して、その表面を滑らかに仕上げている。しかも、一対の本体部１１ａ，１１ｂによって囲まれる空間の断面が完全な円形状にならないようにしているので、一対の本体部１１ａ，１１ｂと傘８０の生地部８１との間には僅かな隙間が生じ、それらの間に働く摩擦力は小さい。このため、使用者は、傘８０を回転させながら傘８０と傘用留め具１０とのうち少なくともいずれか一方を傘８０の中心軸の方向に沿って移動させる際に、あまり力を入れなくとも、傘８０を前方へ軽く押すだけで又は傘用留め具１０を手前に軽く引くだけで、傘８０又は傘用留め具１０を容易に移動させることができる。尚、傘８０又は傘用留め具１０を移動させている間、一対の本体部１１ａ，１１ｂによって囲まれた空間の大きさは傘８０の径に応じて変化するので、使用者は必ずしも一対の本体部１１ａ，１１ｂの開き具合を自らの手で積極的に調整する必要はない。但し、一般の長傘には、巻かれた状態の生地部を固定するためのネーム布（不図示）が取り付けられており、このネーム布が一対の本体部１１ａ，１１ｂに引っかかってしまうことがある。この場合には、使用者は一対の本体部１１ａ，１１ｂの開き具合を手で調整して、ネーム布の引っかかりを回避することになる。
【００２９】
また、このように傘８０と傘用留め具１０とのうち少なくともいずれか一方を傘８０の中心軸の方向に沿って移動させる際に傘８０を回転させることにより、傘８０の生地部８１の各駒（生地部８１を構成する略二等辺三角形の部分）がそれぞれ一対の本体部１１ａ，１１ｂの内面に沿って引きずられて動くので、傘８０の生地部８１をきれいに巻かれた状態にすることができる。このため、本実施形態の傘用留め具１０を用いると、傘８０の生地部８１がきれいに巻かれた状態で傘８０を留めることができる。しかも、使用者は、一方の手で一対の把持部４１ａ，４１ｂを掴むと共に他方の手で傘８０の手元８３を掴み、当該一方の手が傘８０の生地部８１から少し離れた状態で、傘８０を留める作業を行うことができるので、その作業中に傘８０に付着した水で手が濡れてしまうこともない。
【００３０】
更に、一対の本体部１１ａ，１１ｂに設けられた各歯部１６は水切りの役割をも果たす。すなわち、各本体部１１ａ，１１ｂは三つの歯部１６，１６，１６を有し、各歯部１６，１６，１６の長手方向が一対の本体部１１ａ，１１ｂによって囲まれる空間の中心軸と直交しているので、傘８０を回転させながら傘８０と傘用留め具１０とのうち少なくともいずれか一方を傘８０の中心軸の方向に沿って移動させると、各歯部１６，１６，１６の端縁部によって傘８０の生地部８１に付着した水を取り去ることができる。したがって、本実施形態の傘用留め具１０を用いて上記の方法で傘を留めると、傘８０の使用後に傘８０を振って傘８０に付着した水を切るような行為を行わなくとも、傘８０に付着した水を効果的に切ることができる。
【００３１】
本実施形態の傘用留め具は、付勢手段の付勢力に抗する力を加えることにより一対の本体部によって囲まれる空間の大きさを調整可能に構成されている。このため、どのようなサイズの傘であっても、一対の本体部によって囲まれる空間の中心軸と閉じた傘の中心軸とが一致するように傘用留め具を傘の石突付近の生地部に取り付けた後、傘をその中心軸の回りに回転させながら、傘と傘用留め具とのうち少なくともいずれか一方を傘の中心軸の方向に沿って移動させることにより、傘用留め具を傘の露先付近の生地部に簡単に装着することができる。また、傘と傘用留め具とのうち少なくともいずれか一方を傘の中心軸の方向に沿って移動させる際に傘を回転させることにより、傘の生地部がきれいに巻かれた状態で傘を留めることができる。しかも、各本体部は三つの歯部を有し、各歯部の長手方向が一対の本体部によって囲まれる空間の中心軸と直交しているので、傘を回転させながら傘と傘用留め具とのうち少なくともいずれか一方を傘の中心軸の方向に沿って移動させると、各歯部の端縁部によって傘の生地部に付着した水を取り去ることができる。更に、傘用留め具は一対の本体部とは別に一対の把持部を備えることにより、傘を留める作業中に傘に付着した水で手が濡れてしまうこともない。したがって、本実施形態の傘用留め具を用いことにより、どのようなサイズの傘であっても、手を濡らすことなく、傘の生地部がきれいに巻かれた状態で傘を留めることができる。
【００３２】
尚、本発明は上記の実施形態に限定されるものではなく、その要旨の範囲内において種々の変形が可能である。
【００３３】
例えば、上記の実施形態では、傘用留め具の各本体部が三つの歯部を有する場合について説明したが、各本体部に設ける歯部の数は二つ、又は四つ以上であってもよい。特に、歯部の数が多いほど、傘を回転させながら傘と傘用留め具とのうち少なくともいずれか一方を傘の中心軸の方向に沿って移動させる際に、各歯部によって傘の生地部に付着した水をより効果的に取り去ることができる。
【００３４】
また、上記の実施形態では、歯部の幅を約８ｍｍとした場合について説明したが、一般に、歯部の幅は３ｍｍ以上２０ｍｍ以下とするのが望ましい。歯部の幅が３ｍｍより小さいと、歯部が簡単に折れてしまうといった強度上の問題が生じるおそれがあり、一方、歯部の幅が２０ｍｍより大きいと、傘用留め具全体の大きさが大きくなり、傘とのバランスが悪くなるからである。
【００３５】
更に、上記の実施形態では、各本体部の歯部を帯状に形成した場合について説明したが、歯部を、その断面が円形又は楕円形である丸棒状に形成してもよい。
【００３６】
また、上記の実施形態では、連結部として軸部と軸受部とを有するものを用いた場合について説明したが、連結部はどのような構成のものであってもよい。例えば、軸部としてボール軸を用いてもよい。更に、上記の実施形態では、付勢手段として巻きバネを用いた場合について説明したが、付勢手段としては板バネ、ゴム等を用いるようにしてもよい。
【００３７】
また、上記の実施形態において、各本体部の基部に少なくとも一つの開口部を設けるようにしてもよい。図９は本発明の変形例である傘用留め具１０ａの概略斜視図である。図９に示す変形例の傘用留め具１０ａでは、各本体部１１ａ，１１ｂの基部１５に二つの開口部１７，１７が設けられている。かかる開口部１７，１７は略四角形状に形成されている。このように各本体部の基部に少なくとも一つの開口部を設けることにより、傘を回転させながら傘と傘用留め具とのうち少なくともいずれか一方を傘の中心軸の方向に沿って移動させる際に、各歯部の端縁部によって傘の生地部に付着した水を取り去ることができるだけでなく、開口部の周囲に生じた基部の端縁部によっても傘の生地部に付着した水を取り去ることができるので、傘の水切りをより効果的に行うことができる。ここで、一般に、開口部の形状としては、略四角形状に限らず、略三角形状や略円形状等、どのような形状であってもよい。但し、傘用留め具の強度が大幅に低下することのないように注意して、開口部の大きさを決定する必要がある。尚、各本体部の基部に開口部を設けることにより、基部を形成するのに必要な樹脂の量を少なくして、傘用留め具の製造コストを下げることができるというメリットもある。
【００３８】
更に、上記の実施形態では、本発明の傘用留め具を、一般に市販されている通常の大人用の長傘に対して共通に用いる場合について説明したが、個々の傘のサイズに応じて適切なサイズの傘用留め具を製造し、例えば、紳士用の長傘、婦人用の長傘、子供用の長傘等の各種の傘に対してそれぞれ、専用の傘用留め具を用いるようにしてもよい。また、本発明の傘用留め具は、生地部が布やビニール等、どのような素材で作られた傘に対しても適用することができる。
【産業上の利用可能性】
【００３９】
以上説明したように、本発明の傘用留め具は、付勢手段の付勢力に抗する力を加えることにより一対の本体部によって囲まれる空間の大きさを調整可能に構成されている。このため、どのようなサイズの傘であっても、一対の本体部によって囲まれる空間の中心軸と閉じた傘の中心軸とが一致するように傘用留め具を傘の石突付近の生地部に取り付けた後、傘をその中心軸の回りに回転させながら、傘と傘用留め具とのうち少なくともいずれか一方を傘の中心軸の方向に沿って移動させることにより、傘用留め具を傘の露先付近の生地部に簡単に装着することができる。また、傘と傘用留め具とのうち少なくともいずれか一方を傘の中心軸の方向に沿って移動させる際に傘を回転させることにより、傘の生地部がきれいに巻かれた状態で傘を留めることができる。更に、傘用留め具は一対の本体部とは別に一対の把持部を備えることにより、傘を留める作業中に傘に付着した水で手が濡れてしまうこともない。したがって、本発明は、どのようなサイズの傘であっても、手を濡らすことなく、生地部がきれいに巻かれた状態で傘を留めるための傘用留め具として利用することができる。
【符号の説明】
【００４０】
１０，１０ａ  傘用留め具
１１ａ，１１ｂ  本体部
１５  基部
１６  歯部
１７  開口部
２１  連結部
２５  軸部
２６ａ，２６ｂ  軸受部
２７  係止部
３１  付勢手段
４１ａ，４１ｂ  把持部
８０  傘
８１  生地部
８２  中棒
８３  手元
８４  石突
８５  受骨
８６  露先
【図１】
2011234814.tif 000003
【図２】
2011234814.tif 000004
【図３】
2011234814.tif 000005
【図４】
2011234814.tif 000006
【図５】
2011234814.tif 000007
【図６】
2011234814.tif 000008
【図７】
2011234814.tif 000009
【図８】
2011234814.tif 000010
【図９】
2011234814.tif 000011